(57)【要約】【課題】鼻腔内の状態を良好に見ることができる鼻毛カッターを提供すること。【解決手段】棒状のカッター本体２と、このカッター本体２の先端部に着脱自在に取り付けられる剪断部３とを有し、前記カッター本体２内に、電動機９と光源としての発光ダイオード１０を内蔵し、この発光ダイオード１０の光Ｌの照射方向を前記カッター本体２及び剪断部３の中心軸線Ｚに対して直交させたことで、前記カッター本体２の側面を鼻腔Ｎに近付け、前記発光ダイオード１０からの光Ｌによって鼻腔Ｎ内を照らしながら、鏡Ｍを用いて鼻腔Ｎ内の鼻毛の状態を把握することができる。この際、鼻腔Ｎから前記発光ダイオード１０までの距離を短くできるばかりでなく、鏡Ｍを鼻腔Ｎに近付けても前記カッター本体２と鏡Ｍが干渉しにくいので、鼻腔Ｎから鏡Ｍまでの距離も短くでき、鼻腔Ｎ内の鼻毛の状態を良好に把握することができる。【選択図】図３
2009050568.tif 000002
【特許請求の範囲】
【請求項１】
電動機が内蔵された棒状のカッター本体と、このカッター本体の先端部に着脱自在に取り付けられる剪断部とを有する鼻毛カッターにおいて、
前記カッター本体及び剪断部の軸方向とほぼ直交する方向に光を照射する光源を前記カッター本体内に設けたことを特徴とする鼻毛カッター。
【請求項２】
前記光源が、前記電動機の反駆動軸側に位置することを特徴とする請求項１記載の鼻毛カッター。
【請求項３】
前記光源が、指向性の鋭い発光ダイオードであることを特徴とする請求項１乃至２記載の鼻毛カッター。
【発明の詳細な説明】
【技術分野】
【０００１】
本発明は、鼻毛カッターに関するものである。
【背景技術】
【０００２】
従来、この種の鼻毛カッターとしては、モーター（本願発明の電動機に相当する）が内蔵されたほぼ棒状の本体ケース（本願発明のケーシングに相当する）の先端側に、固定刃と可動刃（本願発明の剪断部に相当する）とを着脱自在に取り付けて構成されているものが知られている（例えば、特許文献１参照。）。また、鼻毛カッターではないが、モーター（本願発明の電動機に相当する）が内蔵された主本体（本願発明のケーシングに相当する）の先端側に、静止ブレードと往復ブレード（本願発明の剪断部に相当する）とを着脱自在に取り付け、これら静止ブレードと往復ブレードによってトリミングされる表面を電球（本願発明の光源に相当する）によって照射するヘアトリマーも知られている（例えば、特許文献２参照。）。
【特許文献１】特開２００６−２３９２８９号公報
【特許文献２】特開平１１−２５３６６９号公報
【発明の開示】
【発明が解決しようとする課題】
【０００３】
鼻毛を切断する場合、鏡を用いて鼻腔内の鼻毛の状態を把握しておくことが望ましい。しかしながら、前者のような鼻毛カッターは光源を有さないので、暗い鼻腔内を見るために、懐中電灯のような小型の照明装置が必要であった。一方、後者のようなヘアトリマーでは、トリミングされる表面が電球によって照射されるものの、このような電球を単純に鼻毛カッターに採用することはできない。何故ならば、鼻毛カッターでは、鼻毛を切断する際に円筒状の固定刃が鼻腔に挿入されるので、鏡を用いたとしても、鼻毛の切断中に鼻毛を見ることができないため、鼻毛の切断中に鼻毛を照射する意味がないからである。
【０００４】
本発明は以上の問題点を解決し、鼻毛を切断していない時に鼻腔内の状態を良好に見ることができるようにする鼻毛カッターを提供することを目的とする。
【課題を解決するための手段】
【０００５】
本発明の請求項１に記載の鼻毛カッターは、電動機が内蔵された棒状のカッター本体と、このカッター本体の先端部に着脱自在に取り付けられる剪断部とを有する鼻毛カッターにおいて、前記カッター本体及び剪断部の軸方向とほぼ直交する方向に光を照射する光源を前記カッター本体内に設けたものである。
【０００６】
また、本発明の請求項２に記載の鼻毛カッターは、請求項１において、前記光源が、前記電動機の反駆動軸側に位置するものである。
【０００７】
更に、本発明の請求項３に記載の鼻毛カッターは、請求項１乃至２において、前記光源が、指向性の鋭い発光ダイオードであるものである。
【発明の効果】
【０００８】
本発明の請求項１に記載の鼻毛カッターは、以上のように構成することにより、剪断部によって鼻毛を切る前後に、前記カッター本体内の光源からの光によって鼻腔内を照らすことで、鏡を用いて鼻腔内の鼻毛の状態を把握することができる。この際、前記光源が、前記カッター本体及び剪断部の軸方向とほぼ直交する方向に光を照射するように設けられていることで、前記カッター本体の側面からこのカッター本体の軸直方向に前記光源からの光が照射されるので、前記カッター本体の側面を鼻腔に近付けて、この鼻腔から前記光源までの距離を短くできるばかりでなく、鏡を鼻腔に近付けても前記カッター本体が鏡と干渉しにくいので、鼻腔から鏡までの距離も短くでき、これによって、鼻腔内の鼻毛の状態を良好に把握することができる。
【０００９】
また、前記光源を前記電動機の反駆動軸側に位置させることで、前記光源を前記カッター本体の中心軸線上に位置させることができるので、前記カッター本体を細く形成することができ、これによって、鼻腔を鏡で見る際に、前記カッター本体を鼻腔に近付けても、前記カッター本体が鼻腔を隠してしまわないようにすることができるので、鼻腔内の鼻毛の状態をより良好に把握することができる。
【００１０】
更に、前記光源を指向性の鋭い発光ダイオードとすることで、発光ダイオードが発する光の大部分で狭い鼻腔内を照らすことができるので、少ない光でも鼻腔内を良好に照らすことができるばかりでなく、自身の鼻腔内を照らす際に、前記発光ダイオードからの光が直接目に入らないようにすることができる。
【発明を実施するための最良の形態】
【００１１】
以下、本発明の実施形態について、図１乃至図５に基づいて説明する。１は本発明の鼻毛カッターである。この鼻毛カッター１は、棒状のカッター本体２と、このカッター本体２の先端に着脱自在に取り付けられる剪断部３と、この剪断部３を覆うように前記カッター本体２の先端側に取り付けられるキャップ４とで構成されている。
【００１２】
前記カッター本体２は、外ケーシング５と、内ケーシング６と、電池蓋７とを有して構成されている。そして、前記内ケーシング６は、前記外ケーシング５の基端側からこの外ケーシング５内に挿入されている。また、前記電池蓋７は、前記内ケーシング６の基端に対して着脱自在に取り付けられている。そして、前記内ケーシング６の基端側の内部には乾電池８が挿入されており、前記電池蓋７を前記内ケーシング６の基端に取り付けることによって、この内ケーシング６内に前記乾電池８が保持されるようになっている。また、前記内ケーシング６の先端側には、電動機９が内蔵されている。また、前記内ケーシング６先端側で且つ前記電動機９の駆動軸９Ａが突出していない側には、光源としての発光ダイオード１０が設けられている。そして、この発光ダイオード１０は、発する光Ｌの指向性が鋭く、その光軸が前記カッター本体２の中心軸線Ｚに対して直交するように、前記内ケーシング６内に設けられている。なお、前記発光ダイオード１０の照射角度は、鼻腔Ｎ内を見るために前記カッター本体２及び鏡Ｍを鼻腔Ｎに近付けた際に、前記カッター本体２が鼻腔Ｎの入口を隠さないのに充分な距離を前記鼻腔Ｎとの間に隔てた状態で、前記発光ダイオード１０が発した光Ｌの大部分が鼻腔Ｎ内を照らし、直接使用者の目に入らないのに充分な程度に狭く、本例では１０度程度である。そして、この発光ダイオード１０に対応して、前記内ケーシング６の側面に貫通孔１１が形成されていると共に、この貫通孔１１に透明窓部材１２が取り付けられている。また、前記外ケーシング５及び内ケーシング６には、それぞれ連通するように貫通孔１３，１４が形成されており、これらの貫通孔１３，１４を貫通してスイッチ操作部１５が取り付けられている。なお、このスイッチ操作部１５は、前記カッター本体２の中心軸線Ｚに対して平行にスライドするように、前記貫通孔１３，１４に取り付けられている。そして、前記スイッチ操作部１５には、可動接片１６が取り付けられており、この可動接片１６に対応して、前記内ケーシング６内に、第一固定接片１７及び第二固定接片１８が設けられており、これらの可動接片１６、第一固定接片１７及び第二固定接片１８によって、スイッチ１９が構成されている。従って、このスイッチ１９は、前記スイッチ操作部１５をスライドさせることで、前記可動接片１６が何れの前記固定接片１７，１８にも接しない状態、又は前記可動接片１６と第一固定接片１７が接する状態、又は前記可動接片１６と第二固定接片１８が接する状態とすることができる。なお、本例では、前記スイッチ操作部１５が最も下に位置する場合、前記スイッチ１９の接点が開き、前記スイッチ操作部１５が中央に位置する場合、前記可動接片１６と第一固定接片１７が接し、前記スイッチ操作部１５が最も上に位置する場合、前記可動接片１６と第二固定接片１８が接する。また、前記第一固定接片１７及び第二固定接片１８は、回路基板２０に接続されている。そして、この回路基板２０上には、昇圧回路２１が形成されている。なお、この昇圧回路２１は、一本の前記乾電池８の電圧（１．５Ｖ）で前記発光ダイオード１０を点灯させるためのものである。
【００１３】
前記剪断部３は、前記カッター本体２の先端に、このカッター本体２と同軸に取り付けられる。また、前記剪断部３は、固定刃２２と、図示しない可動刃とを有して構成されている。そして、この図示しない可動刃は、前記固定刃２２内で、前記電動機９によって回転させられることで、前記固定刃２２に形成された溝２２Ａ内に入った鼻毛を剪断する。また、前記キャップ４は、前記透明窓部材１２を覆うように、前記カッター本体２に取り付けられる。更に、前記キャップ４が前記カッター本体２に取り付けられた状態では、前記キャップ４の開口端が前記スイッチ操作部１５の上端と接し、このスイッチ操作部１５のスライドを阻止する。
【００１４】
次に、本発明の作用について説明する。まず使用者は、前記内ケーシング６の基端から前記電池蓋７を取り外し、前記乾電池８を挿入した後、再び前記電池蓋７を前記内ケーシング６の基端に取り付ける。これによって、前記電動機９及び発光ダイオード１０に電力が供給可能な状態となる。そして、前記キャップ４を前記カッター本体２から取り外す。これによって、前記スイッチ操作部１５が操作可能な状態となると共に、前記透明窓部材１２が露出する。この状態で、前記スイッチ操作部１５を中央位置にスライドさせると、前記可動接片１６と第一固定接片１７とが接する。この際、前記乾電池８の電力は、前記可動接片１６、第一固定接片１７、昇圧回路２１を介して、前記発光ダイオード１０に供給されることで、この発光ダイオード１０が発光する。そして、この光Ｌは、前記貫通孔１１に取り付けられた前記透明窓部材１２を通過して、前記カッター本体２の外に放出される。なお、前記光照射方向は、前記カッター本体２の中心軸線Ｚに対して直交する。
【００１５】
そして使用者は、図５に示すように、前記透明窓部材１２を通過した光Ｌが自身の鼻腔Ｎ内を照らすように、前記カッター本体２を自身の鼻腔Ｎに近付ける。この際、前記透明窓部材１２が前記内ケーシング６の側面に位置すると共に、前記発光ダイオード１０の発した光Ｌの照射方向が、前記外ケーシング５及び内ケーシング６（即ち前記カッター本体２）の中心軸線Ｚに対して直交することで、鼻腔Ｎの入口を隠さない範囲で、前記カッター本体２を鼻腔Ｎに最大限近付けることができる。この際、前記発光ダイオード１０の指向性が比較的鋭いので、前記カッター本体２（即ち、前記発光ダイオード１０）と鼻腔Ｎとの距離が短いことと相まって、前記発光ダイオード１０の発した光Ｌの殆どが鼻腔Ｎ内を照らすことになる。このため、前記発光ダイオード１０が発した光Ｌは、使用者の目に僅かに入るだけなので、使用者に眩しさを与えないようして、鼻腔Ｎ内の状態をより良好に把握することができる。また、前記発光ダイオード１０の指向性が比較的鋭いので、この発光ダイオード１０が発する光Ｌの大部分で狭い鼻腔Ｎ内を照らすことができるので、輝度の小さい型の発光ダイオード１０であっても、鼻腔Ｎ内を充分照らすことができる。
【００１６】
このように、鼻腔内が前記発光ダイオード１０で照らされた状態で、鏡Ｍを鼻腔Ｎに近付けることで、使用者は、前記鏡Ｍに映った鼻腔Ｎ内の状態を見て、鼻腔Ｎ内の鼻毛の状態を把握することができる。この際、前述したように、前記発光ダイオード１０を、前記電動機９の駆動軸９Ａが突出していない側に設けたことで、前記発光ダイオード１０を前記電動機９或いは駆動軸９Ａと並べて配置させず、前記ケーシングの中心軸線Ｚ上に位置させることができるので、前記内ケーシング６、ひいては前記カッター本体２を細く形成することができる。これによって、前記鏡Ｍで鼻腔Ｎ内を見る際に、前記カッター本体２を鼻腔Ｎに近付けても、前記カッター本体２が鼻腔Ｎの入口を隠してしまわないようにすることができるので、鼻腔Ｎ内の鼻毛の状態をより良好に把握することができる。
【００１７】
そして、鼻腔Ｎ内の鼻毛を切る場合、使用者は、鏡Ｍを置き、前記カッター本体２を持ち直すと共に、前記スイッチ操作部１５を最上位にスライドさせる。この際、前記可動接片１６と第二固定接片１８とが接することで、前記乾電池８の電力が、前記可動接片１６及び第二固定接片１８を介して前記電動機９に供給されることで、この電動機９の駆動軸９Ａが回転する。そして、前記駆動軸９Ａが回転することで、この駆動軸９Ａに接続された図示しない可動刃が回転する。このように、前記固定刃２２の内側で前記可動刃が回転している状態で、前記剪断部３を鼻腔Ｎ内に挿入することで、鼻毛が前記固定刃２２と可動刃とで剪断される。
【００１８】
そして、鼻毛を切った後、再び前記発光ダイオード１０を発光させて鼻腔Ｎ内の状態を確認したり、前記可動刃を回転させて鼻腔Ｎ内の鼻毛を切ったりすることを繰り返すことで、鼻腔Ｎ内の鼻毛が適切に処理される。
【００１９】
以上のように本発明は、棒状のカッター本体２と、このカッター本体２の先端部に着脱自在に取り付けられる剪断部３とを有し、前記カッター本体２内に、電動機９と光源としての発光ダイオード１０を内蔵し、この発光ダイオード１０の光Ｌの照射方向を前記カッター本体２及び剪断部３の中心軸線Ｚに対して直交させたことで、前記剪断部３を用いて鼻毛を切る前後に、前記カッター本体２の側面を鼻腔に近付け、前記発光ダイオード１０からの光Ｌによって鼻腔Ｎ内を照らしながら、鏡Ｍを用いて鼻腔Ｎ内の鼻毛の状態を把握することができる。この際、鼻腔Ｎから前記発光ダイオード１０までの距離を短くできるばかりでなく、鏡Ｍを鼻腔Ｎに近付けても前記カッター本体２と鏡Ｍが干渉しにくいので、鼻腔Ｎから鏡Ｍまでの距離も短くでき、これによって、鼻腔Ｎ内の鼻毛の状態を良好に把握することができるものである。
【００２０】
また、本発明は、前記発光ダイオード１０を、前記電動機９の駆動軸９Ａが突出している側とは反対側に位置させることで、前記発光ダイオード１０を前記カッター本体２の中心軸線Ｚ上に位置させることができるので、前記カッター本体２を細く形成することができ、これによって、鼻腔Ｎ内を鏡Ｍで見る際に、前記カッター本体２を鼻腔Ｎに近付けても、前記カッター本体２が鼻腔Ｎを隠してしまわないようにすることができるので、鼻腔Ｎ内の鼻毛の状態をより良好に把握することができるものである。
【００２１】
更に、本発明は、光源としての前記発光ダイオード１０を指向性の鋭いものとすることで、発光ダイオード１０が発する光Ｌの大部分で狭い鼻腔Ｎ内を照らすことができるので、輝度の小さい型の発光ダイオード１０でも鼻腔Ｎ内を良好に照らすことができるばかりでなく、自身の鼻腔Ｎ内を照らす際に、前記発光ダイオード１０からの光Ｌが直接目に入らないようにすることができるものである。
【００２２】
なお、本発明は以上の実施形態に限定されるものではなく、発明の要旨の範囲内で種々の変形実施が可能である。例えば、上記実施形態では、光源としての発光ダイオードを内ケーシングの内側に設けたが、前記内ケーシングと外ケーシングが重なる部分の内側に設けるようにしても良い。また、上記実施形態では、前記発光ダイオードを透明窓部材で覆っているが、前記発光ダイオードを露出させるようにしても良く、また、前記ケーシング自体を透明に構成しても良い。更に、上記実施形態では、前記透明窓部材が単に光を透過させるための役割しか果たしていないが、この透明窓部材をレンズ状に形成することで、前記透明窓部材によって光の指向性を鋭くさせるようにしても良い。
【図面の簡単な説明】
【００２３】
【図１】本発明の一実施形態を示す鼻毛カッターの正面図である。
【図２】同上、側面図である。
【図３】同上、Ａ−Ａ断面図である。
【図４】同上、回路図である。
【図５】同上、使用状態を示す説明図である。
【符号の説明】
【００２４】
１  鼻毛カッター
２  カッター本体
３  剪断部
９  電動機
９Ａ  駆動軸
１０  発光ダイオード（光源）
Ｌ  光
Ｚ  中心軸線
【図１】
2009050568.tif 000003
【図２】
2009050568.tif 000004
【図３】
2009050568.tif 000005
【図４】
2009050568.tif 000006
【図５】
2009050568.tif 000007